(57)【要約】【課題】一個で複数種類の音質類調節栓の締付け調節が行なえるフルート類の音質類調節栓締付け具を得る。【解決手段】細長い主体（１１）の両端軸心部に、管（１）の頭部に嵌合される音質類調節栓（４）の調節ねじ（６）が遊嵌する逃げ孔（１２）を形成し、前記主体（１１）の両端部に互いに形状の異なる第１係合片（１３）と第２係合片（１４）とを設け、前記第１係合片（１３）と第２係合片（１４）とは、前記調節ねじ（６）に螺合する加圧板（８）に形成された異種の係合部（９）にそれぞれ係脱可能とし、前記主体（１１）の長手方向中心部に該主体（１１）の外周面から外側方に突出するハンドル（１５）を設ける。また、前記主体（１１）にアタッチメント（１６）を着脱可能かつ相対回転不能に設け、該アタッチメント（１６）の端部に第１係合片（１３）及び第２係合片（１４）とは形状の異なる第３係合片（１７）を設ける。【選択図】図３
0003121992.tif 000002
【実用新案登録請求の範囲】
【請求項１】
細長い主体（１１）の両端軸心部に、管（１）の頭部に嵌合される音質類調節栓（４）の調節ねじ（６）が遊嵌する逃げ孔（１２）を形成し、前記主体（１１）の両端部に互いに形状の異なる第１係合片（１３）と第２係合片（１４）とを設け、前記第１係合片（１３）と第２係合片（１４）とは、前記調節ねじ（６）に螺合する加圧板（８）に形成された異種の係合部（９）にそれぞれ係脱可能とし、前記主体（１１）の長手方向中心部に該主体（１１）の外周面から外側方に突出するハンドル（１５）を設けたことを特徴とするフルート類の音質類調節栓締付け具。
【請求項２】
主体（１１）に着脱可能かつ相対回転不能に嵌合するアタッチメント（１６）を設け、該アタッチメント（１６）の端部を前記主体（１１）の端面から軸方向外方に突出させるとともに、該アタッチメント（１６）の端部に、前記主体（１１）の両端部に設けた第１係合片（１３）及び第２係合片（１４）とは形状の異なる第３係合片（１７）を設けたことを特徴とする請求項１記載のフルート類の音質類調節栓締付け具。
【考案の詳細な説明】
【技術分野】
【０００１】
本考案は、マウスピースを有するフルート、ピッコロ等の管頭部に嵌合される音質類調節栓の締付け具に関し、特に音質類調節栓の径及び密度を調節するフルート類の音質類調節栓締付け具に関するものである。
【背景技術】
【０００２】
一般に、フルート、ピッコロ等は、図１に示すように、管１の頭部に音質類調節栓４が嵌合され、マウスピース部２で生成される音波の反射位置を調節して希望する音質（音の高低）が調節できるようになっている。
【０００３】
前記音質類調節栓４は、金属性の反射板５の背面中心部に調節ねじ６を起立固定し、該調節ねじ６にコルク７、及び加圧板８を順次嵌合させるとともに、加圧板８は調節ねじ６にねじ係合させてなる。また、前記調節ねじ６の先端部は加圧板８から頭部側（図１において右方）に突出させ、該先端部を前記管１の端部に取り付けたキャップ３にねじ係合させ、該キャップ３を回転させて調節ねじ６のねじ込み量を調節することにより、図１の仮想線で示すように前記音質類調節栓４を管１内で軸方向（左右）に移動調節し、その反射板５の反射位置を調節して希望する音質（音程）が得られるようにする。
【０００４】
また、前記コルク７は、前記反射板５部での音波の洩れを防止するとともに、管１の振動及び管１内の音波の一部を吸収することによって音色等の音質を変化させるもので、図２の仮想線で示すように、加圧板８による軸方向（左右方向）の加圧力でコルク７の径及び密度を調節し、前記音色等の音質を調節するようになっている。
【０００５】
ところで、前記加圧板８は、背面に係合部９を形成し、この係合部９に別途用意した締付け具を係合させて回転させることにより、調節ねじ６を介して左右方向に移動させてコルク７を圧縮し、該コルク７の径及び密度を調節するようになっているが、前記加圧板８に形成されている係合部９は、図９に示すように、楽器の機種あるいは楽器メーカーによって形状が多種類に分かれている。即ち、図９（ａ）に示すように、加圧板８の背面に二つの円形の係合孔９ａ，９ａをねじ孔８ａを中心として点対象に形成したもの、図９（ｂ）に示すように、加圧板８の背面に正六角形の係合突起９ｂをねじ孔８ａと同心に形成したもの、図９（ｃ）に示すように、加圧板８の背面に長方形状の係合突起９ｃをねじ孔８ａと同心に形成したもの、図９（ｄ）に示すように、加圧板８の背面の外周部に一つの円形の係合孔９ｄを形成したもの、等がある。
【０００６】
前記加圧板８の各係合部９（９ａ〜９ｄ）に対し、従来は各楽器メーカーがそれぞれに対応する締付け具を製作していたため、該締付け具の種類が増大し、需要者及び販売店において携行及び在庫管理に手数を要するものであった。
【特許文献１】特開平１０−１２４０４２号公報
【考案の開示】
【考案が解決しようとする課題】
【０００７】
本考案は、一個で複数種類の音質類調節栓の締付け調節が行なえるフルート類の音質類調節栓締付け具を得ることを目的とする。
【課題を解決するための手段】
【０００８】
本考案は、上記目的を達成するために以下の如く構成したものである。即ち、請求項１に係る考案は、細長い主体の両端軸心部に、管の頭部に嵌合される音質類調節栓の調節ねじが遊嵌する逃げ孔を形成し、前記主体の両端部に互いに形状の異なる第１係合片と第２係合片とを設け、前記第１係合片と第２係合片とは、前記調節ねじに螺合する加圧板に形成された異種の係合部にそれぞれ係脱可能とし、前記主体の長手方向中心部に該主体の外周面から外側方に突出するハンドルを設ける構成にしたものである。
請求項２に係る考案は、前記主体に着脱可能かつ相対回転不能に嵌合するアタッチメントを設け、該アタッチメントの端部を前記主体の端面から軸方向外方に突出させるとともに、該アタッチメントの端部に、前記主体の両端部に設けた第１係合片及び第２係合片とは形状の異なる第３係合片を設けたものである。
【考案の効果】
【０００９】
請求項１に係る考案は、主体の両端部に形成した第１係合片と第２係合片とを選択して音質類調節栓の加圧板に係合させ、 これをハンドルで回転させることにより、一個の締付け具で２種類の音質類調節栓の加圧力を調節することができる。また、請求項２に係る考案は、前記主体にアタッチメントを取り付けることにより、該アタッチメントに設けた第３係合片でさらに別の音質類調節栓の加圧力を調節することができる。
【考案を実施するための最良の形態】
【００１０】
以下本考案の実施例を図面に基づいて説明する。図において、図１はフルートの頭部に嵌合させた音質類調節栓の移動態様を示す断面図、図２は音質類調節栓の締付け態様を示す図１相当の断面図、図３は本発明による調節具の使用状態を示す部分断面側面図、図４は本発明による調節具の部分断面側面図、図５は本発明によるアタッチメントの部分断面側面図、図６はアタッチメントを取り外した調節具の断面側面図、図７は図６の左側面図、図８は図６の右側面図である。
【００１１】
図３において、４は前述と同様の音質類調節栓、１０は該音質類調節栓４の加圧板８を回転させる締付け具である。該締付け具１０は、本例ではステンレス鋼により形成されている。即ち、図６に示すように、左半部が小径部１１ａに、右半部が大径部１１ｂとなる段付き軸状の主体１１を設け、該小径部１１ａ及び大径部１１ｂの軸心部に端面が開口する逃げ孔１２，１２を形成する。各逃げ孔１２，１２は、前述した音質類調節栓４の調節ねじ６の先端側が遊嵌する径、及び深さとする。
【００１２】
前記小径部１１ａ及び大径部１１ｂの端部にそれぞれ互いに形状の異なる第１係合片１３と第２係合片１４とを形成する。第１係合片１３は、図６、図７に示すように、小径部１１ａの左端部に形成された正六角形の凹部とし、該第１係合片１３は、図９（ｂ）に示す加圧板８の背面に形成した係合突起９ｂに相対回転不能に係脱可能となっている。また、第２係合片１４は、図６、図８に示すように、大径部１１ｂの右端部に形成された二股状の突起とし、該第２係合片１４は、図９（ｃ）に示す加圧板８の背面に形成した長方形状の係合突起９ｃに相対回転不能に係脱可能となっている。
【００１３】
前記小径部１１ａと大径部１１ｂとの間に位置する主体１１の長手方向中心部に、軸状のハンドル１５を直交方向から挿通し、その長手方向中心部を主体１１に圧入して固定する。この圧入は、ハンドル１５の上下中心部にローレット１５ａ加工を施し、該ローレット１５ａによりハンドル１５の上下中心部の径を部分的に拡大させて前記主体１１に圧入する。
【００１４】
前記主体１１の小径部１１ａに筒状のアタッチメント１６を着脱可能に嵌合させる。該アタッチメント１６は、図４、図５に示すように、右端部に平面視Ｕ形の係合溝１６ａを形成し、該係合溝１６ａを前記ハンドル１５に嵌合させて主体１１に対して相対回転不能に係合させ、左端部を前記主体１１の左端面から左方に突出させ、該アタッチメント１６の左端部に第３係合片１７を取り付けてなる。
【００１５】
前記第３係合片１７は、２個の円柱状のピンを円周方向に１８０度のピッチで配列して前記アタッチメント１６の左端部に圧入固定し、該２個の円柱状のピンの先端部を前記アタッチメント１６の左端面から左方に突出させてなり、各先端部が図９（ａ）に示す加圧板８の背面に形成した二つの円形の係合孔９ａ，９ａにそれぞれ係脱可能、又は一方の先端部が図９（ｄ）に示す加圧板８の背面に形成した一つの円形の係合孔９ｄに係脱可能となっている。なお、前述した締付け具１０はプラスチック材により形成してもよい。
【００１６】
前記実施例によれば、主体１１の両端部に形成した形状の異なる第１係合片１３、第２係合片１４を、加圧板８に形成された異種の係合部９（９ｂ，９ｃ）にそれぞれ係合させるようにしたので、一個の締付け具１０で２種類の音質類調節栓４の締付け調節が行なえることになる。また、前記締付け具１０に第３係合片１７が形成されたアタッチメント１６を取り付けることにより、さらに異種の音質類調節栓４の締付け調節が行なえることになり、締付け具１０の種類が低減してこれの携行及び在庫管理が容易となる。
【図面の簡単な説明】
【００１７】
【図１】フルート頭部に嵌合させた音質類調節栓の移動態様を示す断面図である。
【図２】音質類調節栓の締付け態様を示す図１相当の断面図である。
【図３】本発明による調節具の使用状態を示す部分断面側面図である。
【図４】本発明による調節具の部分断面側面図である。
【図５】本発明によるアタッチメントの部分断面側面図である。
【図６】アタッチメントを取り外した調節具の断面側面図である。
【図７】図６の左側面図である。
【図８】図６の右側面図である。
【図９】係合部の異なった形状例を示す加圧板の背面図である。
【符号の説明】
【００１８】
１    管
２    マウスピース
３    キャップ
４    音質類調節栓
５    反射板
６    調節ねじ
７    コルク
８    加圧板
９（９ａ，９ｂ，９ｃ，９ｄ）    係合部
１０    締付け具
１１    主体
１１ａ  小径部
１１ｂ  大径部
１２    逃げ孔
１３    第１係合片
１４    第２係合片
１５    ハンドル
１５ａ  ローレット
１６    アタッチメント
１７    第３係合片
【図１】
0003121992.tif 000003
【図２】
0003121992.tif 000004
【図３】
0003121992.tif 000005
【図４】
0003121992.tif 000006
【図５】
0003121992.tif 000007
【図６】
0003121992.tif 000008
【図７】
0003121992.tif 000009
【図８】
0003121992.tif 000010
【図９】
0003121992.tif 000011